(57)【要約】      （修正有）【課題】要介護者が介助なしに自力歩行にて転倒することなく各室内、健常者用トイレ、浴室の利用等、容易且つ広範囲の室内間を移動する事が可能となる、吊り下げ手法及び開口部固定型接続用金物を提供する。【解決手段】移動可能な可動ハンガー用ガイド梁４５や、固定型ハンガー用ガイド梁の外周にセットすることができる、３箇所に回転体４３を有する着脱可能な３点支持のハンガータイプである、要介護者を吊り下げるための可動器具（可動ハンガー４０）とした構成とする。【選択図】図４
2013154157.tif 000002
【特許請求の範囲】
【請求項１】
歩行用であり要介護者を吊り下げ、移動可能な可動ハンガー用ガイド梁や、固定型ハンガー用ガイド梁の外周にセットする、３箇所の回転体を有する着脱可能な３点支持のハンガータイプである可動器具（可動ハンガー）を有する吊り下げ手法。
【請求項２】
壁に接する垂直部プレートの幅を狭くし、水平部プレートを扇型等に広げたことにより、可動ハンガー用ガイド梁の接続角度は鋭角、鈍角に対応可能となり、より広範囲に室内間を移動する事を可能とした壁面固定型接続用金物。
【請求項３】
開口部上部に壁支持プレートを回転支持ボルトにて固定し、更に壁面固定型接続用金物を一体化した構造としたことを特徴とする開口部固定型接続用金物。
【発明の詳細な説明】
【技術分野】
【０００１】  本発明は、主に介護やリハビリを可能とする住宅や老人ホーム、病院等施設の１以上の空間に用いられ、要介護者が自力にて一方向の単純移動、及び、広範囲に移動する事が可能である構造の着脱式、及び、固定式吊り下げ手法に関する。
【背景技術】
【０００２】  図１の従来例歩行訓練器具１０は、上部にトロリ部１１と、下部に電動ウインチ部１５、及び、吊上げ部１６により構成されている。トロリ部１１に配設された上部ローラー１３と下部ローラー１４にて、支持用ガイド梁１２の支持プレート１９を挟む事により、支持用ガイド梁１２の軸方向のみ駆動でき、常時決まった通路移動の事務作業等への応用等が考えられていた。（例えば、特許文献１参照。）また、図２の移動用リフト２０は、両サイドの支柱間に配設されたガイド用レール２２内に内部ローラー２３にて、可動部２１を吊上げた構造とし、３メートル以内である狭い範囲内での移動に利用されていた。（例えば、非特許文献１参照。）
【先行技術文献】
【特許文献】
【０００３】
【特許文献１】特許３２９２６４８
【非特許文献】
【０００４】
【非特許文献１】「グリーンカタログＶＯＬ、１２」社団法人シルバーサービス振興会
【発明の概要】
【発明が解決しようとする課題】
【０００５】  従来例の介護やリハビリ用建築物には、要介護者の移動手段として、手すり、車椅子、両サイドを壁や柱、梁にて支持されたガイド梁のスパン内を移動可能なリフトや、歩行用トロリが配設されていた。従来の手法では、転倒の危険性、行動範囲の狭さ、自力歩行が難しい大きな問題があった。【０００６】  本発明は、このような不具合を解消する為になされたものであり、要介護者が自力歩行にて転倒することなく容易に各室内、健常者用トイレ、浴室の利用等、広範囲に室内間を移動する事も可能である事が特徴である構造システム、及び吊り下げ手法の提供を目的とするものである。
【課題を解決するための手段】
【０００７】  上記不具合を解決するために、本発明は次のような構成としている。
請求項１に記載した吊り下げ手法は、歩行用であり要介護者を吊り下げる可動器具（可動ハンガー４０）をセットした移動可能な梁（可動ハンガー用ガイド梁４５）の両サイド先端を、この梁に垂直に交わる方向の対向する壁面上部の位置に水平配設されたガイド用レールにセットする事により、ガイド用レールのスパンである室内を広範囲に移動する事は可能となった（特願２０１０−１６４３２９）が、他のスパンや居室への移動を可能とする為、要介護者を吊り下げる可動器具は、固定または移動可能な梁の外周にセットする着脱可能な３点の回転体を有する３点支持のハンガータイプとしている。【０００８】  請求項２に記載した非可動型であるハンガー用ガイド梁の壁面固定型接続用金物は壁に接する垂直部プレートの幅を狭くし、水平部プレートを扇型等に広げたことによりガイド梁の接続角度は鋭角、鈍角に対応可能となり、より広範囲に室内間を移動する事を可能とした。【０００９】  請求項３に記載した非可動型であるハンガー用ガイド梁の開口部固定型接続用金物は開口部上部に壁支持プレートを回転支持ボルトにて固定し、更に壁面固定型接続用金物を一体化した構造としたことを特徴とする。
【発明の効果】
【００１０】  以上説明したように本発明の構造システム、及び吊り下げ手法により、要介護者が介助なしに自力歩行にて転倒することなく容易に各室内、健常者用トイレ、浴室の利用等、広範囲の室内間を移動する事も可能となる効果を発揮する事ができた。
【図面の簡単な説明】
【００１１】
【図１】図１は従来例の特許３２９２６４８歩行訓練器具の斜視図
【図２】図２は従来例の［非特許文献１］「グリーンカタログＶＯＬ、１２」（社団法人シルバーサービス振興会）アーチパートナーを示す斜視図
【図３】図３は従来例の壁面固定型接続用金物の斜視図
【図４】図４は本発明の可動ハンガーの斜視図
【図５】図５は本発明の壁面固定型接続用金物の斜視図
【図６】図６は本発明の開口部固定型接続用金物の斜視図
【発明を実施するための形態】
【００１２】対向する壁面上部の位置へ水平に設定されたガイド用レール間に垂直に交わる歩行用であり要介護者を吊り下げる可動器具（可動ハンガー４０）をセットした移動可能な梁（可動ハンガー用ガイド梁４５）を配設した。他のスパンや居室への移動を可能とする為、要介護者を吊り下げる可動器具は移動可能な梁の外周にセットする着脱可能な３点支持のハンガータイプとしている。更に壁面固定型接続用金物や開口部固定型接続用金物を併用した。
【００１３】  以下、本発明の実施の形態を図４〜図６に基づいて説明する。
【００１４】  本発明の実施例について、図面を参照して説明する。図４は本発明の可動ハンガーの斜視図、図５は本発明の壁面固定型接続用金物の斜視図、図６は本発明の開口部固定型接続用金物の斜視図。
【００１５】  図４で示すように、本発明の吊り下げ手法の可動ハンガー４０は、可動ハンガー用ガイド梁４５の外周に回転体を有するハテナマーク形状のフレーム４１が配設されている。フレーム４１はハテナマーク形状としたことにより、荷重のない状態にて着脱用握り部４７を握り、上部へ持ち上げての着脱が可能となり、連続性のない別スパンのガイド梁４５への移動が容易である効果を発揮する事ができた。また、ハテナマーク形状のフレーム４１の上部、左右３箇所に回転体４２，４３，４４を、また、着脱用握り部４７の下部に回転体４６を配設することで、鉛直や水平方向荷重、及びねじれ等のバランスが取れ、要介護者が荷重をかけた自力歩行に於いて、ガイド梁軸方向への可動がスムーズとなる効果を発揮する事ができた。更に図３、図４、にて説明する。
【００１６】  図４の可動ハンガー用ガイド梁４５の連続した接続部は、図３のＬ型プレート金物３０の一面を壁面に取付け、他の水平面の上部に壁より回転体４３の接触しない間隔にて設定する。可動ハンガー４０のフレーム４１をハテナマーク形状としたことにより、可動ハンガー４０は接続部を着脱することない通過が可能である効果を発揮する事ができた。更に図５、にて説明する。
【００１７】  図５の壁面固定型接続用金物５０は、垂直部５１と水平部５２により形成されている。また、垂直部５１は壁面支持用穴５４、水平部５２は固定型ハンガー用ガイド梁支持用穴５５を設けている。更に水平部５２は垂直部５１より幅広いサイズとした。本発明の壁面固定型接続用金物５０は、水平部５２を幅広としたことにより、従来例の図３のＬ型プレート金物３０に比べ、固定型ハンガー用ガイド梁５３及び、可動ハンガー用ガイド梁４５の幅広い接続角度を可能とする効果を発揮する事ができた。更に図６、にて説明する。
【００１８】  図６の開口部固定型接続用金物６０は、開口部上部支持金物６１、垂直部プレート６２、水平部６３、壁支持プレート６４、回転支持ボルト６５、可動ハンガー用ガイド梁支持用穴６６により形成されている。ドア枠上部６８を開口部上部支持金物６１で覆い、回転支持ボルト６５により、壁支持プレート６４を壁面部６９に設定する。垂直部プレート６２より水平部６３の幅を広くすることで可動ハンガー用ガイド梁６７の幅広い接続角度を可能とする効果を発揮する事ができた。
【符号の説明】
【００１９】１０      従来例歩行訓練器具
１１      トロリ部
１２      支持用ガイド梁
１３      上部ローラー
１４      下部ローラー
１５      電動ウインチ部
１６      吊上げ部
１７      支持プレート
２０      移動用リフト
２１      可動部
２２      ガイド用レール
２３      内部ローラー
３０      Ｌ型プレート金物
４０      本発明可動ハンガー
４１      フレーム
４２      回転体
４３      回転体
４４      回転体
４５      可動ハンガー用ガイド梁
４６      回転体
４７      着脱用握り部
５０      壁面固定型接続金物
５１      垂直部
５２      水平部
５３      固定型ハンガー用ガイド梁
５４      壁面支持用穴
５５      固定型ハンガー用ガイド梁支持用穴
６０      開口部固定型接続用金物
６１      開口部上部支持金物
６２      垂直部プレート６２
６３      水平部
６４      壁支持プレート
６５      回転支持ボルト
６６      可動ハンガー用ガイド梁支持用穴
６７      可動ハンガー用ガイド梁
６８      ドア枠上部
６９      壁支持プレート６４を壁面部
【図１】
2013154157.tif 000003
【図２】
2013154157.tif 000004
【図３】
2013154157.tif 000005
【図４】
2013154157.tif 000006
【図５】
2013154157.tif 000007
【図６】
2013154157.tif 000008